(57)【要約】【課題】作業者が作業する箇所への照明器具の設置を不要とし、作業者がどの位置にいても作業者の前面や周囲を照らすことで作業効率を損なうことを防止することが可能な発光照明機能付きボタンを提供する。【解決手段】ボタン２を、被服に取り付ける脚部３が背面に設けられたベース部材１０と、このベース部材１０を覆うカバー部材２０とを有して構成し、ベース部材１０とカバー部材２０との間に、ＬＥＤ４１と、電池と、自動点滅器４３とを配設し、カバー部材２０のＬＥＤ４１と対峙する部分に透光可能な凹レンズ形状に形成されたレンズ部５を設ける。【選択図】図２
2020042925.tif 000002
【特許請求の範囲】
【請求項１】
作業者が着用する被服に取り付けられるボタンを、前記被服に取り付ける脚部が背面に設けられたベース部材と、このベース部材を覆うカバー部材とを有して構成し、
前記ベース部材と前記カバー部材との間に、ＬＥＤと、電池と、周囲の照度が設定値を下回ると前記ＬＥＤに前記電池から電流を供給し、前記設定値を上回ると前記ＬＥＤへの前記電池からの電流の供給を停止する自動点滅器とを配設し、
前記カバー部材の前記ＬＥＤと対峙する部分に透光可能な凹レンズ形状に形成されたレンズ部を設けたことを特徴とする発光照明付きボタン。
【請求項２】
前記カバー部材は、前記ベース部材に対して螺進退可能に螺合され、前記ＬＥＤと前記レンズ部との距離を変更可能とすることを特徴とする請求項１記載の発光照明付きボタン。
【請求項３】
前記ベース部材と前記カバー部材との間には、前記カバー部材を前記ベース部材から離反させる方向に付勢するスプリングが設けられていることを特徴とする請求項２記載の発光照明付きボタン。
【請求項４】
前記カバー部材又は前記ベース部材の螺合部分には、前記スプリングの付勢力により圧接される当接部分に摩擦抵抗を増大させる手段が施されていることを特徴とする請求項３記載の発光照明付きボタン。
【発明の詳細な説明】
【技術分野】
【０００１】
この発明は、作業者が着用する被服のボタンに発光照明機能を設け、暗い箇所での作業において作業者の周辺を明るくして作業をしやすい環境を提供することを可能とした発光照明機能付きボタンに関する。
【背景技術】
【０００２】
暗い箇所での作業、例えば、夜間の昇柱作業においては、グランドワイヤに棒形状の本体部を取り付け、この本体部にグランドワイヤに対して直交する骨組部材を取り付け、この骨組部材の下面に光源を設けて、活線作業が行われている作業部位を上方か照らすようにしたり（特許文献１参照）、クリップ等で作業着に装着したＬＥＤなどのライトで照明をとったり、地上からの投光によって作業箇所を照らすようにしている。
【先行技術文献】
【特許文献】
【０００３】
【特許文献１】特開２０１７−７６５３５号公報
【発明の概要】
【発明が解決しようとする課題】
【０００４】
しかしながら、グランドワイヤに取り付けられる照明装置であれば、自然光に近い照射角度の照明を実現して、活線作業の作業効率を損なうことなく、作業空間全体に均一な視界を確保することが可能となるが、照明装置をグランドワイヤに設置する作業が必要となり、多数の電柱を昇柱する作業においては、適さないものである。また、クリップ等で作業着に装着したＬＥＤでは、スポット照射となり、作業者周辺を広く照らすことができないため、作業環境が把握しにくくなり、また、地上からの投光では、作業者自身によって遮光されたり、作業部位と投光器との間に障害物があるとその障害物によって遮光されたりするので、作業部位に十分な照射が行えなくなって作業効率を損なう不都合がある。
【０００５】
本発明は、係る事情に鑑みてなされたものであり、作業者が作業する箇所への照明器具の設置を不要とし、また、作業者がどの位置にいても作業者の前面や周囲を照らすことで作業効率を損なうことを防止することが可能な発光照明機能付きボタンを提供することを主たる課題としている。
【課題を解決するための手段】
【０００６】
上記課題を達成するために、本発明に係る発光照明機能付きボタンは、作業者が着用する被服に取り付けられるボタンを、前記被服に取り付ける脚部が背面に設けられたベース部材と、このベース部材を覆うカバー部材とを有して構成し、前記ベース部材と前記カバー部材との間に、ＬＥＤと、電池と、周囲の照度が設定値を下回ると前記ＬＥＤに前記電池から電流を供給し、前記設定値を上回ると前記ＬＥＤへの前記電池からの電流の供給を停止する自動点滅器とを配設し、前記カバー部材の前記ＬＥＤと対峙する部分に透光可能な凹レンズ形状に形成されたレンズ部を設けたことを特徴としている。
【０００７】
したがって、作業者が作業をする周囲が暗くなると、作業者が着用する被服のボタンの内部に配設された自動点滅器も暗い環境下に置かれるので、ボタンの内部のＬＥＤは、電池から電流が供給され、発光する。そして、発光された光は、ＬＥＤと対峙する部分に設けられた凹レンズ形状のレンズ部を透光するので、このレンズ部で拡散されて照射され（照射範囲が広げられ）、作業者の前面を広く照射することになり、作業者がどこにいても照明を確保することが可能となる。
【０００８】
ここで、前記カバー部材は、前記ベース部材に対して螺進退可能に螺合され、前記ＬＥＤと前記レンズ部との距離を変更可能にするとよい。
このような構成においては、作業者はカバー部材をベース部材に対して回転させることでＬＥＤとレンズ部との距離を変更することができるので、レンズ部から照射する光の照射範囲を変更することが可能となる。
【０００９】
また、ベース部材とカバー部材との間に、前記カバー部材を前記ベース部材から離反させる方向に付勢するスプリングを設けるようにしてもよい。このようなスプリングを設けることで、カバー部材がベース部材との螺合部分で強く圧接されることになり、ボタンに作用する振動等によりカバー部材がベース部材に対して少しずつ回動し、カバー部材がベース部材から脱落する不都合を避けることが可能となる。
【００１０】
特に、カバー部材又はベース部材の螺合部分のうち、前記スプリングの付勢力により圧接される当接部分に摩擦抵抗を増大させる手段を施すようにしてもよく、このような構成を付加することで、カバー部材は一層回転しにくくなり、カバー部材を回転させたい場合には、カバー部材をベース部材に向かってスプリングのばね力に抗して押し付けることで摩擦抵抗を低減させる必要があり、カバー部材の不用意な脱落を確実に抑えることが可能となる。
【発明の効果】
【００１１】
以上述べたように、本発明によれば、作業者が着用する被服のボタンに、ＬＥＤと、電池と、自動点滅器とを収容し、ボタンのベース部材を覆うカバー部材にＬＥＤと対峙するレンズ部を設けたので、作業者が作業する周辺が暗い場合には、自動的にＬＥＤが発光し、レンズ部を介して光が拡散照射させるので、作業者が作業する箇所への照明器具の設置は不要となり、また、作業者がどの位置にいても作業者の前面や周囲を照らすことができるので、作業効率を損なうことを防止することが可能となる。
【００１２】
また、カバー部材をベース部材に対して螺進退可能としてＬＥＤとレンズ部との距離を変更可能とすることで、作業に合わせてカバー部材を回すことでレンズ部から照射する光の照射範囲を調節することが可能となる。
さらに、ベース部材とカバー部材との間にスプリングを設けることで、また、これに加えて、カバー部材又はベース部材の螺合部分のうち、前記スプリングの付勢力により圧接される当接部分に摩擦抵抗を増大させる手段を設けることで、光の照射範囲の調節を行うためにカバー部材の回転を許容しつつ、作業者が意図しない間にカバー部材が回転してベース部材から不用意に脱落する不都合を避けることが可能となる。
【図面の簡単な説明】
【００１３】
【図１】図１は、作業者が着用する作業着を説明するもので、（ａ）は、作業着の一例を示す図であり、（ｂ）はその作業着に取り付けられるボタンの外観例を示す側面図である。
【図２】図２は、本発明に係る発光照明機能付きボタンの一例を示す断面図であり、（ａ）は、ベース部材に対してカバー部材を最も近接させた状態を示し、（ｂ）は、カバー部材のベース部材からの突出量を大きくした状態を示す図である。
【図３】図３は、ベース部材を示す図であり、（ａ）はその平面図、（ｂ）はその背面図である。
【図４】図４は、ベース部材とカバー部材との螺合部位を示す拡大断面図であり、摩擦係数を増大させる手段をケース部材に設けた例を示し、（ａ）はカバー部材が上方へ付勢された状態、（ｂ）はカバー部材を回転させるために下方へ押し付けた状態を示す図である。
【図５】図５は、ベース部材とカバー部材との螺合部位を示す拡大断面図であり、摩擦係数を増大させる手段をベース部材に設けた例を示し、（ａ）はカバー部材が上方へ付勢された状態、（ｂ）はカバー部材を回転させるために下方へ押し付けた状態を示す図である。
【図６】図６は、本発明に係る発光照明機能付きボタンの他の例を示す断面図であり、（ａ）は、ベース部材に対してカバー部材を最も近接させた状態を示し、（ｂ）は、カバー部材のベース部材からの突出量を大きくした状態を示す図である。
【発明を実施するための形態】
【００１４】
以下、本発明の実施形態を図面に基づき詳述する。
【００１５】
図１において、作業者が着用する作業着１の一例が示されている。この作業着においては、前みごろ１ａの下前立に上下に間隔を置いて複数のボタン２が取り付けられ、それぞれのボタン２が、前みごろ１aの上前立に上下に間隔を置いて設けられた図示しないボタンホールを通して留められている。
【００１６】
それぞれのボタン２は、底部に設けられた脚部３を糸等で被服に縫い付けて取り付けられるもので、図２にも示されるように、背面に脚部３が設けられたベース部材１０と、このベース部材１０の脚部３と反対側を覆うカバー部材２０とを有して構成されている。
【００１７】
ベース部材１０は、金属又は合成樹脂によって有底の筒状に形成されているもので、底部１１の背面には、図３（ｂ）にも示されるように、所定径の断面を有する金属線状体を例えば円弧状に形成して、その両端部を接着剤等で固定された脚部３が設けられている。
【００１８】
周壁１２の内面には、ベース部材１０の開口端から雌螺子１３が形成され、底部１１の内面には、図３（ａ）にも示されるように、複数のＬＥＤ４１（この例では４つのＬＥＤ）と、ボタン電池などの小型の電池４２と、これら電池４２やＬＥＤ４１と結線されてそれぞれのＬＥＤ４１を点灯可能とする回路を形成し、周囲の照度が設定値を下回るとそれぞれのＬＥＤ４１に電池４２から電流を供給し、周囲の照度が前記設定値を上回るとそれぞれのＬＥＤ４１への電池４２からの電流の供給を停止する自動点滅器４３とが配設されている。
【００１９】
複数のＬＥＤ４１は、底部内面に偏らないように配置されると共にカバー部材２０や後述するスプリング４と干渉しないように、周壁から所定の間隔を離して配置され、自動点滅器４３は底部１１の略中央に配置され、電池４２は、ＬＥＤ４１や自動点滅器４３、またカバー部材２０及びスプリング４と緩衝しない位置に配置されている。
【００２０】
カバー部材２０は、ポリカーボナートやアクリル樹脂等の透光可能な素材で形成され、ベース部材１０に向けられる側が開放され、他方側に頂部２１が設けられた筒状に形成されている。周壁２２の外面には、前記ベース部材１０の内周面に形成された雌螺子１３と螺合する雄螺子２３が形成され、また、周壁２２から頂部２１に移行する内面には、このカバー部材２０とベース部材１０との間に収容される圧縮ばねからなるスプリング４を受けるばね受け２４が形成されている。このスプリング４は、カバー部材２０の内周壁と接する程度の外径に形成され、したがって、カバー部材２０とベース部材１０との間に配設された状態においては位置がずれないようになっている。
【００２１】
カバー部材２０の頂部２１には、前記ＬＥＤ４１と対峙する部分、この例では、頂部２１のほぼ全体が凹レンズ形状に形成されたレンズ部５に形成されている。この例においてレンズ部５は、外表面を平坦面とし、内面を凹状に湾曲させて形成されている。
【００２２】
さらにこの例では、カバー部材２０がスプリング４に付勢されてベース部材１０から離反する方向に付勢されている状態において、カバー部材２０の回転を阻止または回転しにくくする摩擦抵抗増大手段がカバー部材２０又はベース部材１０の螺合部分に設けられている。
【００２３】
この摩擦抵抗増大手段は、この例では、カバー部材２０の雄螺子２３に設けられているもので、図４（ａ）に示されるように、螺子山のベース部材１０の底部１１から離れた側の側面を他の部分に比べて表面粗さを粗くし、これをベース部材１０の雌ネジ１３の谷部の側面に押し付けることでカバー部材２０の回転を制限している。
【００２４】
以上の構成において、上述したボタン２を作業者が着用する作業着に取り付けておくと、作業者が暗い場所に移動して作業を行う場合や、作業者が同じ場所で作業をしていても周囲が暗くなると、自動点滅器４３の周囲も暗くなるので、照度が設定値を下回るとそれぞれのＬＥＤ４１に電池４２から電流が供給され、発光し始める。それぞれのＬＥＤ４１から発光された光は、ＬＥＤ４１と対峙する部分に設けられた凹レンズ形状のレンズ部５を透過するが、その際に凹レンズ作用により拡散して照射されるので、作業者の前面を広く照射することが可能となる。
【００２５】
カバー部材２０を回転できなくなるまで螺合させると、カバー部材２０とベース部材１０との螺合量が最も大きくなる図２（ａ）の状態となるが、この状態においては、レンズ部５とＬＥＤ４１との距離が最も近接する場合であり、レンズ部５から照射される光の照射範囲は最も広くなる。この状態からカバー部材２０をベース部材１０からの突出量を大きくするように回転させると、カバー部材２０とベース部材１０との螺合量が減少し、レンズ部５とＬＥＤ４１との距離が徐々に長くなり、レンズ部５から照射される光の照射範囲は、徐々に狭められる。
【００２６】
したがって、作業者は、必要とする照射範囲をカバー部材２０を回動させることで調節することが可能となり、作業者がどこにいても格別な照明器具を設置することなく照明を確保することが可能となる。また、作業者がどの位置にいても作業者の前面やその周囲を照らすことができるので、作業効率を損なうことを防止することが可能となる。
【００２７】
さらに、上述した構成においては、ベース部材１０とカバー部材２０との間に、カバー部材２０をベース部材１０から離反させる方向に付勢するスプリング４を設け、カバー部材２０とベース部材１０との螺合部分で、カバー部材２０の雄螺子２３のネジ山の側面をベース部材１０の雌ネジ２３の谷部の側面に強く押し付けるようにしたので、カバー部材２０は回転しにくくなり、ボタン２に作用する振動等によりカバー部材２０がベース部材１０に対して少しずつ回動して、カバー部材２０がベース部材１０から脱落する不都合を回避することが可能となる。
【００２８】
特に、上述した構成においては、カバー部材２０の螺合部分のうち、スプリングの付勢力により圧接される当接部分（図中においては、カバー部材２０の雄螺子２３の山部の上側の側面）の表面粗さを粗くすることで、カバー部材を一層回転しにくくしているので、カバー部材２０は、図４（ｂ）に示されるように、カバー部材をベース部材に向かってスプリングのばね力に抗して押し付けなければ、摩擦抵抗を小さくして回転させることができないので、カバー部材が回転して不用意な脱落する恐れを一層抑えることが可能となる。
【００２９】
なお、摩擦抵抗増大手段は、図５に示されるように、ベース部材１０の雌螺子１３の谷部の底部１１から離れた側の側面を他の部分に比べて表面粗さを粗くして構成するようにしてもよい。このような構成においても、図４で示す構成と同様の作用効果を奏する。
【００３０】
以上の構成は、ベース部材１０の内側にカバー部材２０を螺合させることでカバー部材２０でベース部材１０を覆う形態を示したが、図６に示されるように、ベース部材１０の外周面にカバー部材２０を螺合させてカバー部材２０でベース部材１０を覆う構成としてもよい。
【００３１】
すなわち、ベース部材１０の側壁１２の外周面には、ベース部材１０の開口端から雄螺子１５が形成され、カバー部材２０の側壁２２の内周面には、ベース部材１０の雄螺子１５と螺合する雌螺子２５が形成されている。また、カバー部材２０の頂部２１には、ベース部材１０の周壁１２より内側の部分で圧縮ばねからなるスプリング４を受けるばね受け２４が形成されている。この例においてスプリング４は、ベース部材１０の周壁１２と接する程度の外径に形成され、したがってカバー部材２０とベース部材１０との間に収容した状態においてはスプリング４の位置がずれないようになっている。
【００３２】
カバー部材２０の頂部２１には、前記ＬＥＤ４１と対峙する部分、この例では、頂部２１のばね受け２０よりも内側の部分に凹レンズ形状に形成されたレンズ部５が形成されている。この例においてもレンズ部５は、外表面を平坦面とし、内面を凹状に湾曲させて形成されている。
なお、他の構成は、前記構成例と同様であるので、同一箇所に同一符号を付して説明を省略する。
【００３３】
このような構成においても前記構成例と同様の作用効果を得ることが可能となる。また、この例では、ベース部材１０の全体をカバー部材２０で覆うことが可能となるので、雨天時の作業においても、ボタン内への雨水の侵入を防ぎやすいものとなる。
【００３４】
なお、以上述べた構成において、それぞれの構成要素は適宜変形することが可能である。例えば、ＬＥＤは、４つ設けた例を示したが、必要な光量が得られるのであれば、いくつであってもよい。また、レンズ部も、外面を凹面状に形成しても、両面を凹面状に形成してもよく、摩擦抵抗増大手段は、図６の構成においても、同様に設けるようにしてもよい。さらに、上述した構成において、カバー部材は、その全体が透光可能な素材で形成した例を示したが、レンズ部の部分だけ透光可能な素材としてもよい。
【符号の説明】
【００３５】
１  作業着
２  ボタン
３  脚部
４  スプリング
５  レンズ部
１０  ベース部材
１３  雌螺子
１５  雄螺子
２０  カバー部材
２３  雄螺子
２５  雌螺子
４１  ＬＥＤ
４２  電池
４３  自動点滅器
【図１】
2020042925.tif 000003
【図２】
2020042925.tif 000004
【図３】
2020042925.tif 000005
【図４】
2020042925.tif 000006
【図５】
2020042925.tif 000007
【図６】
2020042925.tif 000008